(57)【要約】【課題】本発明は卓上用空気清浄装置に関するもので、卓上で使用した場合に、本、書類等によって吸気口の一部が塞がれ風量低下することを抑制できるものである。【解決手段】本発明は、吸気口３と吹出口２とを有する本体ケース１内に、送風機５と空気清浄フィルタ６と備え、送風機５によって吸気口３から吸い込まれた空気が空気清浄フィルタ６を介して吹出口２へ送風される。吹出口２は、本体ケース１の前面に設けられている。送風機５は、ケーシング９と、ケーシング９に固定されたモータ１０と、モータ１０によって回転する羽根１１とを備えている。モータ１０の回転軸１０ａは、上下方向に延び、ケーシング９の吸込口１２は、ケーシング９の上面に設けられ、空気清浄フィルタ６は、ケーシング９の吸込口１２と、本体ケース１の吸気口３との間に配置されている。吸気口３は、本体ケース１の上部に配置されたことを特徴とするものである。【選択図】図２
2018138830.tif 000002
【特許請求の範囲】
【請求項１】
吸気口と吹出口とを有する本体ケースと、
前記本体ケース内に設けられた送風機と空気清浄フィルタと備え、
前記送風機によって前記吸気口から吸い込まれた空気が前記空気清浄フィルタを介して前記吹出口へ送風され、
前記吹出口は、前記本体ケースの前面に設けられ、
前記送風機は、
ケーシングと、
前記ケーシングに固定されたモータと、
前記モータによって回転する羽根とを備え、
前記モータの回転軸は、上下方向に延び、
前記ケーシングの吸込口は、前記ケーシングの上面に設けられ、
前記空気清浄フィルタは、前記ケーシングの前記吸込口と、前記本体ケースの前記吸気口との間に配置され、
前記吸気口は、前記本体ケースの上部に配置されたことを特徴とする卓上用空気清浄装置。
【請求項２】
前記本体ケースは、箱形状であり、
前記吸気口は、前記本体ケースの異なる２面に設けたことを特徴とする請求項１に記載の卓上用空気清浄装置。
【請求項３】
前記吸気口は、前記本体ケースの前面側から見て前記本体ケースの一方側の側面と、前記本体ケースの前面側から見て前記本体ケースの他方側の側面とに設けたことを特徴とする請求項２に記載の卓上用空気清浄装置。
【請求項４】
前記吸気口は、前記本体ケースの前面側から見て前記本体ケースの一方側または他方側の側面と、前記本体ケースの背面とに設けたことを特徴とする請求項２に記載の卓上用空気清浄装置。
【請求項５】
前記吸気口は、第１の吸気口３ａと第２の吸気口３ｂとを有し、
前記空気清浄フィルタは、第１の空気清浄フィルタと、第２の空気清浄フィルタとを有し、
前記第１の吸気口は、本体ケースの前面側から見て本体ケースの一方側の側面に配置され、
前記第２の吸気口は、本体ケースの前面側から見て本体ケースの他方側の側面に配置され、
前記第１の空気清浄フィルタと第２の空気清浄フィルタとは、通風面が対向するように配置されていることを特徴とする請求項３に記載の卓上用空気清浄装置。
【請求項６】
前記ケーシングの前記吸込口は、前記本体ケースにおける上方から見ると、前記第１の空気清浄フィルタと第２の空気清浄フィルタとの間に配置されたことを特徴とする請求項５に記載の卓上用空気清浄装置。
【請求項７】
前記本体ケースの上部に操作部を設け、
前記本体ケース内に前記操作部の操作に応じて前記送風機を制御する制御基板部を備え、前記制御基板部は前記送風機より下方に設けたことを特徴とする請求項１から６のいずれかに記載の卓上用空気清浄装置。
【発明の詳細な説明】
【技術分野】
【０００１】
本発明は、机の上で使用し、空気を浄化することのできる卓上用空気清浄装置に関する。
【背景技術】
【０００２】
従来、この種の卓上用空気清浄装置の構成は以下のようになっていた。（例えば、特許文献１参照）
吸気口と吹出口を有する本体ケースと、本体ケース内に設けられた送風機と空気清浄フィルタとを備えていた。送風機によって吸気口から吸い込まれた空気が、空気清浄フィルタを介して吹出口へ送風される。吸気口は本体ケースの下部側面に配置され、吹出口は本体ケースの上面に設けられ、送風機と吹出口との間に空気清浄フィルタを備えている。送風機は、回転軸が本体ケースにおける上下方向へ延び、本体ケースにおける上方向へ送風する軸流タイプである。
【先行技術文献】
【特許文献】
【０００３】
【特許文献１】特開昭５５−６７３１６号公報
【発明の概要】
【発明が解決しようとする課題】
【０００４】
このような従来の卓上用空気清浄装置においては、吸気口が、本体ケースの下部に配置されているので、卓上で使用していると、本、書類等によって吸気口の一部が塞がれると、風量が低下する。
【０００５】
そこで本発明は、本体ケースに対する吸気口の配置を改良して、卓上で使用した場合の風量低下の抑制を目的とするものである。
【課題を解決するための手段】
【０００６】
そしてこの目的を達成するために本発明は、吸気口と吹出口とを有する本体ケースと、前記本体ケース内に設けられた送風機と空気清浄フィルタと備え、前記送風機によって前記吸気口から吸い込まれた空気が前記空気清浄フィルタを介して前記吹出口へ送風され、前記吹出口は、前記本体ケースの前面に設けられ、前記送風機は、ケーシングと、前記ケーシングに固定されたモータと、前記モータによって回転する羽根とを備え、前記モータの回転軸は、上下方向に延び、前記ケーシングの吸込口は、前記ケーシングの上面に設けられ、前記空気清浄フィルタは、前記ケーシングの前記吸込口と、前記本体ケースの前記吸気口との間に配置され、前記吸気口は、前記本体ケースの上部に配置されたことを特徴としたものであり、これにより、初期の目的を達成するものである。
【発明の効果】
【０００７】
以上のように本発明は、吸気口と吹出口とを有する本体ケースと、前記本体ケース内に設けられた送風機と空気清浄フィルタと備え、前記送風機によって前記吸気口から吸い込まれた空気が前記空気清浄フィルタを介して前記吹出口へ送風され、前記吹出口は、前記本体ケースの前面に設けられ、前記送風機は、ケーシングと、前記ケーシングに固定されたモータと、前記モータによって回転する羽根とを備え、前記モータの回転軸は、上下方向に延び、前記ケーシングの吸込口は、前記ケーシングの上面に設けられ、前記空気清浄フィルタは、前記ケーシングの前記吸込口と、前記本体ケースの前記吸気口との間に配置され、前記吸気口は、前記本体ケースの上部に配置されたことを特徴とするものである。
【０００８】
以上のように本発明は、吸気口が本体ケースの上部に配置されたので、卓上で使用した場合に、本、書類等によって吸気口の一部が塞がれ風量低下することを抑制できる。
【図面の簡単な説明】
【０００９】
【図１】本発明の実施の形態１の卓上用空気清浄装置の斜視図
【図２】同卓上用空気清浄装置の斜視図
【図３】同卓上用空気清浄装置の断面図
【図４】同卓上用空気清浄装置の断面図
【発明を実施するための形態】
【００１０】
以下、本実施形態を添付図面を用いて説明する。
（実施の形態１）
図１は、本発明の実施の形態１の卓上用空気清浄装置の斜視図であり、前面側から見た図である。図２は、本発明の実施の形態１の卓上用空気清浄装置の斜視図であり、背面側から見た図である。図３は、本発明の実施の形態１の卓上用空気清浄装置の断面図であり、右側から見た図である。図４は、本発明の実施の形態１の卓上用空気清浄装置の断面図であり、上方から見た図である。
【００１１】
図１、図２、図３および図４に示すように、本実施形態の卓上用空気清浄装置は、高さ寸法が大きい縦長の箱形状の本体ケース１を有している。本体ケース１の前面には吹出口２を設け、上部には複数の吸気口３を配置している。吸気口３には、プレフィルタ４が装着されている。本体ケース１内には、送風機５と空気清浄フィルタ６とを備えている。送風機５によって吸気口３から吸い込まれた空気が、プレフィルタ４、空気清浄フィルタ６を介して吹出口２へ送風される。
【００１２】
吹出口２は、本体ケース１の前面側から見て右側（一方側）に配置され、縦長四角形状の上吹出口７と下吹出口８とを備えている。上吹出口７は、本体ケース１の上部に配置され、下吹出口８は、上吹出口７の下方に配置されている。
【００１３】
送風機５は、ケーシング９と、モータ１０と、羽根１１とを有している。
【００１４】
ケーシング９は、スクロール形状であり、上面９ａと、この上面９ａに対向した下面９ｂと、上面９ａと下面９ｂとを繋ぐスクロール面９ｃとから形成している。ケーシング９の上面９ａには円形の吸込口１２を、スクロール面９ｃには吐出口１３を有している。吸込口１２は、本体ケース１の天面に対向し、吐出口１３は、本体ケース１の吸気口３に対向するように配置されている。吸込口１２は、吸気口３より下方に配置されている。ケーシング９のスクロール面９ｃは、本体ケース１における左側面、背面、および右側面の内面と接するように配置されている。これにより、ケーシング９を大きくできると共に、本体ケース１内のデットスペースを低減している。
【００１５】
モータ１０は、ケーシング９の下面に固定され、モータ１０の上面から上方に延びた回転軸１０ａを備えている。この上下方向に延び回転軸１０ａには、羽根１１が固定されている。
【００１６】
羽根１１は、遠心送風ファンであり、一例はシロッコファンである。羽根１１は、ケーシング９内に設けられている。モータ１０によって、羽根１１が回転すると、ケーシング９の吸込口１２からケーシング９内に空気が吸い込まれ、ケーシング９の吐出口１３からケーシング９外に空気が送風される。
【００１７】
プレフィルタ４は、吸気口３に着脱自在に設けられている。プレフィルタ４が捕集できる粉塵の大きさは、空気清浄フィルタ６が捕集できる粉塵の大きさに比べて大きい。
【００１８】
空気清浄フィルタ６は、濾材が蛇腹形状に折られたものであり、送風機５と吸気口３との間に配置されている。空気清浄フィルタ６は、プレフィルタ４と対向しているので、使用者がプレフィルタ４を吸気口３から外すと、プレフィルタ４の掃除ができると共に、空気清浄フィルタ６の掃除もできる。
【００１９】
また、本体ケース１の上部に操作部１４を設け、本体ケース１内に操作部１４の操作に応じて送風機５を制御する制御基板部１５を備えている。
【００２０】
操作部１４は、送風機５の運転、停止、ノッチ等を切り替えるスイッチである。操作部１４を押すと、制御基板部１５を介して送風機５が制御される。
【００２１】
制御基板部１５は、本体ケース１の背面側下部に設けられた電源コード１６と、操作部１４と電気的に接続されている。制御基板部１５は、四角板形状であり、制御基板部１５の上面が、本体ケース１の底面と対向するように配置されている。
【００２２】
吸気口３は、本体ケース１の上部に複数、配置されている。これにより、卓上で使用した場合に、本、書類等によって吸気口３の一部が塞がれ風量低下することを抑制できる。
【００２３】
また、本体ケース１は、箱形状であり、吸気口３は、本体ケース１の異なる２面に設けられている。具体的には、吸気口３は、本体ケース１の前面側から見て本体ケース１の右側（一方側）の側面と、本体ケース１の前面側から見て本体ケース１の左側（他方側）の側面とに設けられた。これにより、卓上で使用した場合に、机に設けられたパーテーション等によって吸気口３が塞がれ風量低下することをより抑制できる。
【００２４】
なお、吸気口３は、本体ケース１の前面側から見て本体ケース１の右側（一方側）の側面と、本体ケース１の背面とに設けられた場合も、本体ケース１の前面側から見て本体ケース１の左側（他方側）の側面と、本体ケース１の背面とに設けられた場合にも同じ効果を有する。
【００２５】
また、吸気口３は、第１の吸気口３ａと、第２の吸気口３ｂとを有し、空気清浄フィルタ６は、第１の空気清浄フィルタ６ａと、第２の空気清浄フィルタ６ｂとを有している。第１の吸気口３ａは、本体ケース１の前面側から見て本体ケース１の右側（一方側）側面の吸気口３であり、第２の吸気口３ｂは、本体ケース１の前面側から見て本体ケース１の左側（他方側）側面の吸気口３である。第１の吸気口３ａと第２の吸気口３ｂとは、本体ケース１における対向する面に配置されている。第１の空気清浄フィルタ６ａは、第１の吸気口３ａに対向し、第１の吸気口３ａの送風方向における下流側に配置されている。第２の空気清浄フィルタ６ｂは、第２の吸気口３ｂに対向し、第２の吸気口３ｂの送風方向における下流側に配置されている。第１の空気清浄フィルタ６ａと第２の空気清浄フィルタ６ｂとは、通風面が対向するように配置されている。
【００２６】
仮に、第１の吸気口３ａと第２の吸気口３ｂとが、本体ケース１における隣り合った面に配置された場合には、第１の空気清浄フィルタ６ａと第２の空気清浄フィルタ６ｂとが接触する場合が考えられる。しかし、第１の吸気口３ａと第２の吸気口３ｂとが、本体ケース１における対向する面に配置されているので、第１の空気清浄フィルタ６ａと第２の空気清浄フィルタ６ｂとが接触することが無く、第１の空気清浄フィルタ６ａと第２の空気清浄フィルタ６ｂとが接触する場合に比べて、通風面を大きくでき、通風抵抗を低減できる。
【００２７】
また、本体ケース１における上方から見ると、ケーシング９の吸込口１２は、第１の空気清浄フィルタ６ａと第２の空気清浄フィルタ６ｂとの間に配置されている。これにより、第１の空気清浄フィルタ６ａからケーシング９の吸込口１２へ流れる空気の流れと、第２の空気清浄フィルタ６ｂからケーシング９の吸込口１２へ流れる空気の流れとが、衝突しにくく、ケーシング９の吸込口１２の全周から入り易くなる。結果として、ケーシング９の吸込口１２への空気の流れが、より均一になり、風量が増加する。
【００２８】
また、制御基板部１５と電源コード１６とは、送風機５より下方に設けられている。これにより、風路を狭めることなく吸気口３を、本体ケース１の上部に配置できる。また、吹出口２が、本体ケース１の底面より制御基板部１５の高さ寸法分、上方に配置されるので、机の上で卓上用空気清浄装置を使用すると、机の上面より上方から送風され、机の上面に沿って送風されることを抑制できると共に、送風機５および吹出口２の下方にデッドスペースが発生することを抑えることができる。
【００２９】
また、本体ケース１内には、本体ケース１の底面の上方に制御基板部１５が配置され、制御基板部１５の上方には順に、モータ１０、ケーシング９、空気清浄フィルタ６が配置される。これにより、吸気口３を、本体ケース１の上部に配置できると共に、ケーシング９の吐出口１３を、本体ケース１の底面より制御基板部１５の高さ寸法分と、更にモータ１０の高さ寸法分は上方に配置できる。結果として、机の上面に沿って送風されない程度に吹出口２を吐出口１３より下方向へ広げることが可能となるので、送風抵抗を低減できる。
【産業上の利用可能性】
【００３０】
以上のように本発明は、家庭用や事務所用などの、卓上用空気清浄装置として活用が期待されるものである。
【符号の説明】
【００３１】
１    本体ケース
２    吹出口
３    吸気口
３ａ    第１の吸気口
３ｂ    第２の吸気口
４    プレフィルタ
５    送風機
６    空気清浄フィルタ
６ａ    第１の空気清浄フィルタ
６ｂ    第２の空気清浄フィルタ
７    上吹出口
８    下吹出口
９    ケーシング
９ａ    上面
９ｂ    下面
９ｃ    スクロール面
１０    モータ
１０ａ    回転軸
１１    羽根
１２    吸込口
１３    吐出口
１４    操作部
１５    制御基板部
１６    電源コード
【図１】
2018138830.tif 000003
【図２】
2018138830.tif 000004
【図３】
2018138830.tif 000005
【図４】
2018138830.tif 000006